(57)【要約】【課題】  取水口スクリーンで捕獲した塵芥を除去するためのレーキを、水力を動力として十分な駆動力により定期的に駆動する。【解決手段】  落水が溜まることでバケット２０５が落下方向に揺動することによる上昇したウエイト２０６の自由落下の際のエネルギを、取水口スクリーン４０２が捕獲した塵芥を捕捉して除塵するレーキ４０３を駆動するためのエネルギとして利用するようにした。ここでワンウェイクラッチ３０４を用いて、前記ウエイトの自由落下により生ずる方向の前記揺動体の回転のみを出力軸３０３に伝達する。レーキで捕獲した塵芥はスクリーン上方の集積場所に落下されることで集積される。【選択図】    図１
2006316473.tif 000002
【特許請求の範囲】
【請求項１】
揺動軸（２０３）を中心として揺動する揺動体（２０４）の一端側に落水を受け止めるバケット（２０５）を有するとともに他端側にウエイト（２０６）を有し、落水の受け止め量がある量に達すると前記バケットが落下方向に揺動して排水し、上昇した前記ウエイトの自由落下によって前記バケットを落水の受け止め位置に揺動復帰させる駆動機構（２０１）と、
前記ウエイトの自由落下により生ずる方向の前記揺動体の回転のみをワンウェイクラッチ（３０４）によって出力軸（３０３）に伝達する動力伝達機構（３０１）と、
取水口（１０１）に配置されるスクリーン（４０２）に捕獲された塵芥を捕捉する捕捉位置と捕捉した塵芥をその集積場所に落下させる落下位置との間で移動自在なレーキ（４０３）を有し、前記出力軸の回転を駆動力として前記レーキを移動させる塵芥除去機構（４０１）と、
を備えることを特徴とする取水口スクリーンの除塵装置。
【請求項２】
前記ワンウェイクラッチ（３０４）は、ラチェット機構を有する、ことを特徴とする請求項１に記載の取水口スクリーンの除塵装置。
【請求項３】
前記塵芥除去機構（４０１）には、前記スクリーン（４０２）が含まれる、ことを特徴とする請求項１又は２に記載の取水口スクリーンの除塵装置。
【請求項４】
前記スクリーン（４０２）及び前記捕捉位置は、垂直方向の位置に規定され、前記落下位置は、前記集積場所に向けて垂直方向に対して屈曲する方向の位置に規定されている、ことを特徴とする請求項３に記載の取水口スクリーンの除塵装置。
【請求項５】
前記スクリーン（４０２）は、複数本の板材（４０２ａ）を上下一対の基部（４０２ｂ）で支持した構造のものである、ことを特徴とする請求項３に記載の取水口スクリーンの除塵装置。
【請求項６】
前記スクリーン（４０２）は、複数本の棒材（４０２ｅ）を上下一対の基部（４０２ｂ）で支持した構造のものである、ことを特徴とする請求項３に記載の取水口スクリーンの除塵装置。
【請求項７】
前記棒材（４０２ｅ）は、その上下端部は屈曲形成され、取水口（１０１）を覆う垂直部分が基部よりも取水口から離反する方向に突出するように構成した、ことを特徴とする請求項６に記載の取水口スクリーンの除塵装置。
【請求項８】
前記捕捉位置は、垂直方向の位置に規定され、前記落下位置は、前記集積場所に向けて垂直方向に対して屈曲する方向の位置に規定されている、ことを特徴とする請求項１又は２に記載の取水口スクリーンの除塵装置。
【請求項９】
前記バケット（２０５）からの排水を前記集積場所に集積された塵芥をその廃棄方向に流す方向に導くガイド（２５１）を更に有する、ことを特徴とする請求項１乃至８のいずれかに記載の取水口スクリーンの除塵装置。
【請求項１０】
前記集積場所に配置されて前記廃棄方向に向けて低くなるスロープ（１５１）を更に有する、ことを特徴とする請求項９に記載の取水口スクリーンの除塵装置。
【請求項１１】
前記塵芥除去機構（４０１）を構成するフレーム（４０６）の屈曲部分間には、ごみを捕集する横長板状の受け具（４１１）を設置した、ことを特徴とする請求項１乃至１０のいずれかに記載の取水口スクリーンの除塵装置。
【請求項１２】
前記塵芥除去機構（４０１）を構成するスプロケット軸（４０４）の一端にハンドル（４１２）を取り付けた、ことを特徴とする請求項１乃至１１のいずれかに記載の取水口スクリーンの除塵装置。
【発明の詳細な説明】
【技術分野】
【０００１】
本発明は、水力発電所等に河川水を導入するための取水口への塵芥の進入を阻止する取水口スクリーンが捕獲した塵芥を除去するための除塵装置に関する。
【背景技術】
【０００２】
水力発電所等には、河川等から水を取り込むための取水口が設置されている。取水口には、様々な種類の塵芥が侵入することから、これを防止するための取水口スクリーンが取り付けられる。取水口スクリーンは、例えば、縦棒状のスクリーン部材が横方向に並列に並べられたような構造をしており、木っ端等の塵芥をスクリーン部材で塞き止める。塞き止めた塵芥は取水口を塞ぐため、取水口スクリーンからレーキ等で塵芥を定期的に除去する必要がある。
【０００３】
特許文献１には、電力を使用せず、水の流れを動力として取水口スクリーンから塵芥を除去するレーキを駆動するようにした除塵装置が記載されている。この除塵装置は、取水口スクリーンの下流側に水車を配置し、この水車の回転により生ずる駆動力でレーキを動作させ、取水口スクリーンからの塵芥の除去を実現させている。
【特許文献１】特開２００１−３２３４４０公報
【発明の開示】
【発明が解決しようとする課題】
【０００４】
取水口スクリーンは、全ての塵芥を塞き止め得るものではなく、ある程度以上に小さな塵芥は取水口スクリーンを通過して下流側に流れる。このため、特許文献１に記載された発明では、そのような取水口スクリーンを通過した塵芥が水車に引っ掛かり、水車の回転に抵抗を与えることがある。このようなことから、水車の回転によって発生するレーキの駆動力が不足し、レーキの塵芥除去能力を低下させてしまうか、場合によってはレーキによる塵芥除去を不可能になるという問題があった。
【０００５】
また、この発明では、フロートにより水面に浮かんだ水車の回転力により、レーキを動作させるものであるが、水車は水面に浮かんだ形で回転するため、駆動力が不足しやすいという問題もあった。
【０００６】
本発明は、かかる問題点を解決するために創案されたものである。すなわち、本発明の目的は、水力を動力としてレーキを駆動しながらも、レーキに対して常に十分な駆動力を発揮することができる取水口スクリーンの除塵装置を提供することにある。
【課題を解決するための手段】
【０００７】
請求項１記載の取水口スクリーンの除塵装置は、揺動軸（２０３）を中心として揺動する揺動体（２０４）の一端側に落水を受け止めるバケット（２０５）を有するとともに他端側にウエイト（２０６）を有し、落水の受け止め量がある量に達すると前記バケットが落下方向に揺動して排水し、上昇した前記ウエイトの自由落下によって前記バケットを落水の受け止め位置に揺動復帰させる駆動機構（２０１）と、前記ウエイトの自由落下により生ずる方向の前記揺動体の回転のみをワンウェイクラッチ（３０４）によって出力軸（３０３）に伝達する動力伝達機構（３０１）と、取水口（１０１）に配置されるスクリーン（４０２）に捕獲された塵芥を捕捉する捕捉位置と捕捉した塵芥をその集積場所に落下させる落下位置との間で移動自在なレーキ（４０３）を有し、前記出力軸の回転を駆動力として前記レーキを移動させる塵芥除去機構（４０１）と、を備えることを特徴とする。
【０００８】
請求項２記載の発明は、請求項１に記載の取水口スクリーンの除塵装置において、前記ワンウェイクラッチ（３０４）は、ラチェット機構を有する、ことを特徴とする。
請求項３記載の発明は、請求項１又は２に記載の取水口スクリーンの除塵装置において、前記塵芥除去機構（４０１）には、前記スクリーン（４０２）が含まれる、ことを特徴とする。
請求項４記載の発明は、請求項３に記載の取水口スクリーンの除塵装置において、前記スクリーン（４０２）及び前記捕捉位置は、垂直方向の位置に規定され、前記落下位置は、前記集積場所に向けて垂直方向に対して屈曲する方向の位置に規定されている、ことを特徴とする。
【０００９】
請求項５に記載の発明は、請求項３に記載の取水口スクリーンの除塵装置において、前記スクリーン（４０２）は、複数本の板材（４０２ａ）を上下一対の基部（４０２ｂ）で支持した構造のものである、ことを特徴とする。
請求項６に記載の発明は、請求項３に記載の取水口スクリーンの除塵装置において、前記スクリーン（４０２）は、複数本の棒材（４０２ｅ）を上下一対の基部（４０２ｂ）で支持した構造のものである、ことを特徴とする。
請求項７に記載の発明は、請求項６に記載の取水口スクリーンの除塵装置において、前記棒材（４０２ｅ）は、その上下端部は屈曲形成され、取水口（１０１）を覆う垂直部分が基部よりも取水口から離反する方向に突出するように構成した、ことを特徴とする。
【００１０】
請求項８記載の発明は、請求項１又は２に記載の取水口スクリーンの除塵装置において、前記捕捉位置は、垂直方向の位置に規定され、前記落下位置は、前記集積場所に向けて垂直方向に対して屈曲する方向の位置に規定されている、ことを特徴とする。
【００１１】
請求項９記載の発明は、請求項１乃至８のいずれかに記載の取水口スクリーンの除塵装置において、前記バケット（２０５）からの排水を前記集積場所に集積された塵芥をその廃棄方向に流す方向に導くガイド（２５１）を更に有する、ことを特徴とする。
請求項１０記載の発明は、請求項６記載の取水口スクリーンの除塵装置において、前記集積場所に配置されて前記廃棄方向に向けて低くなるスロープ（１５１）を更に有する、ことを特徴とする。
【００１２】
請求項１１に記載の発明は、請求項１乃至１０に記載の取水口スクリーンの除塵装置において、前記塵芥除去機構（４０１）を構成するフレーム（４０６）の屈曲部分間には、ごみを捕集する横長板状の受け具（４１１）を設置した、ことを特徴とする。
請求項１２に記載の発明は、請求項１乃至１１に記載の取水口スクリーンの除塵装置において、前記塵芥除去機構を構成するスプロケット軸（４０４）の一端にハンドル（４１２）を取り付けた、ことを特徴とする。
【発明の効果】
【００１３】
請求項１に記載の発明によれば、レーキを駆動するための駆動力として、落水を受け止めたバケットが落下方向に揺動することで上昇したウエイトの自由落下の際の力を利用するようにしたので、例えば取水口スクリーンを通過した塵芥がレーキの駆動系にその駆動力を変動させるような影響を与えてしまうようなことがなく、したがって、水力を動力としてレーキを駆動しながらも、レーキに対して常に十分な駆動力を提供して定期的に塵芥を除去することができる。
【００１４】
請求項２に記載の発明によれば、簡単な構造のワンウェイクラッチにより、レーキに駆動力を与えることができ、しかも、その駆動力を大きな力とすることができる。
【００１５】
請求項３に記載の発明によれば、塵芥除去機構がスクリーンを有するので、取水口自体にスクリーンを取り付けなければならない作業上の煩雑さを回避することができる。
【００１６】
請求項４に記載の発明によれば、スクリーンを垂直状態に維持して取水口に対する塵芥の進入阻止作用をより確実にすることができる一方で、捕獲位置を垂直方向にすることで、スクリーンが捕獲した塵芥をレーキによって確実に除塵することができ、また、レーキからの塵芥の落下位置を集積場所に向けて屈曲させることで、レーキから塵芥を確実に集積場所に落下させることができる。
【００１７】
請求項５に記載の発明によれば、複数本の板材によるスクリーンは強度的に信頼性があるので水圧が高いときにも使用することができる。
請求項６，７に記載の発明によれば、複数本の棒材を上下一対の基部で支持した構造のものである、水圧が高くならないようなときに適している。
【００１８】
請求項８に記載の発明によれば、取水口に対する塵芥の進入阻止作用をより確実にできるようにスクリーンを垂直状態に維持することを前提とし、捕獲位置を垂直方向にすることで、スクリーンが捕獲した塵芥をレーキによって確実に除塵することができ、また、レーキからの塵芥の落下位置を集積場所に向けて屈曲させることで、レーキから塵芥を確実に集積場所に落下させることができる。
【００１９】
請求項９に記載の発明によれば、バケットの排水を利用して塵芥をその廃棄方向に向けて流すことができる。
【００２０】
請求項１０に記載の発明によれば、バケットの排水利用による塵芥の廃棄を補助することができる。
【００２１】
請求項１１に記載の発明によれば、塵芥除去機構を構成するフレームの屈曲部分間に横長板状の受け具を設置したので、ごみが水面に落下することを阻止することができる。
【００２２】
請求項１２に記載の発明によれば、塵芥除去機構を構成するスプロケット軸の一端にハンドルを取り付けたので、水の供給がないとき、あるいはバケット部分が故障したときに、手動でレーキを動かせることができる。
【発明を実施するための最良の形態】
【００２３】
本発明は、水力発電所等に河川水を導入するための取水口への塵芥の進入を阻止する取水口スクリーンが捕獲した塵芥を除去するために、水力を動力としてレーキを駆動しながらも、レーキに対して常に十分な駆動力を発揮することができる取水口スクリーンの除塵装置である。
【実施例１】
【００２４】
以下、本発明の好ましい実施の形態を図面を参照して説明する。
本発明の実施例１について図１ないし図３に基づいて説明する。
図１は実施例１を示す取水口スクリーンの除塵装置全体の斜視図である。
取水口スクリーンの除塵装置は、河川水を取り込むための堤に形成された取水口１０１に設けられている。除塵装置は、大きく分けて、駆動機構２０１と動力伝達機構３０１と塵芥除去機構４０１とから構成されている。
塵芥除去機構４０１は、取水口１０１を覆うように配置されたスクリーン４０２に捕獲された塵芥をレーキ４０３で捕捉し、取水口１０１の上方に位置する堤上面１０２を集積場所としてここに塵芥を落下させる構造のものである。駆動機構２０１は、いわゆる獅子嚇しの原理でレーキ４０３に対する駆動力を発生させる。本実施の形態の除塵装置は、駆動機構２０１で発生した駆動力を動力伝達機構３０１によってレーキ４０３に伝達する。以下、より詳細に説明する。
【００２５】
駆動機構２０１は、堤上面１０２に一対の支持脚２０２が固定され、これらの支持脚２０２にはいわゆる獅子嚇しのような構造をなす揺動機構が揺動自在に取り付けられている。揺動機構は、一対の支持脚２０２に揺動自在に取り付けられた揺動軸２０３を中心に揺動する揺動体２０４の一端側にバケット２０５を他端側にウエイト２０６を有する機構である。バケット２０５は、揺動軸２０３からその直交方向に延出する一対のアームに保持されている。ウエイト２０６は、揺動軸２０３からアームと反対方向に延出する丸棒状のアームに固定されている。通常、ウエイト２０６の重みによってバケット２０５が上昇位置に位置付けられている。
【００２６】
バケット２０５には、落水がパイプ１０３を通って給水される。落水の給水は、陸地側から引き回されたパイプ１０３による。パイプ１０３は、上昇位置に位置するバケット２０５が落水を受け止めることができる位置に落水する。なおパイプから給水される水は上流から取水しているため、ポンプ等による揚水は不要である。
【００２７】
動力伝達機構３０１は、入力軸３０２と出力軸３０３とを有し、入力軸３０２に入力された一方向の回転のみを出力軸３０３に伝達するワンウェイクラッチ３０４によって構成されている。入力軸３０２の端部は駆動機構２０１の支持脚２０２に回転自在に取り付けられている。入力軸３０２の端部には、揺動軸２０３の端部に固定された駆動ギヤ２０７に噛合するアイドルギヤ３０５が固定されている。したがって、揺動軸２０３の回転は駆動ギヤ２０７とアイドルギヤ３０５とを介して入力軸３０２に伝達される。ワンウェイクラッチ３０４は、一例としてラチェット機構によって構成されている。ラチェット機構は、バケット２０５が下方に回動することで上昇したウエイト２０６が落下する場合の揺動軸２０３の回転（図１中、反時計方向の回転）のみを出力軸３０３に伝達する。揺動軸２０３と入力軸３０２とは駆動ギヤ２０７及びアイドルギヤ３０５を介して連結されているのであるから、出力軸３０３は、図１中で時計方向に回転することになる。このような出力軸３０３は、その端部が塵芥除去機構４０１に連結されている。
【００２８】
図２は、スクリーン４０２の斜視図である。
スクリーン４０２は、複数本の板材４０２ａを上下一対の基部４０２ｂで支持した構造のものである。板材４０２ａは取水口１０１を覆う大きさに形成されている。上下一対の基部４０２ｂの両端には合計四つの連結部４０２ｃが設けられている。これらの連結部４０２ｃは、スクリーン４０２を塵芥除去機構４０１に連結するために利用される。
【００２９】
図３は、塵芥除去機構４０１の側面図である。
塵芥除去機構４０１について説明する。二本のスプロケット軸４０４と二本の連結棒４０５とで連結された一対のフレーム４０６が設けられ、固定脚４０７を介して取水口１０１が開口する壁面の取水口両側に固定されている。フレーム４０６の下方部分は、取水口１０１の両側に沿って垂直に配置されている。この垂直部分にスクリーン４０２が連結部４０２ｃを介して固定されている。フレーム４０６の上方部分は、堤上面１０２における塵芥の集積場所に向けて屈曲している。フレーム４０６の屈曲位置は、堤上面１０２の上面よりも少し上の位置である。フレーム４０６を連結する二本のスプロケット軸４０４は、回転自在であり、上方に位置するスプロケット軸４０４は、動力伝達機構３０１の出力軸３０３に連結されている。連結は、例えば継ぎ手によるものとする。二本のスプロケット軸４０４の両端には、それぞれ、フレーム４０６の内側に位置させて一対のスプロケット４０８が固定されている。各フレーム４０６において、二つのスプロケット４０８にはチェーン４０９が巻き掛けられており、チェーン４０９は、各フレーム４０６の屈曲部分にそれぞれ回転自在に取り付けられた二つの案内ローラー４１０によってフレーム４０６の形状に沿った軌道となるように案内されている。各フレーム４０６に設けられたチェーン４０９の間には、レーキ４０３が掛け渡されている。レーキ４０３は、二本のチェーン４０９に掛け渡された基部４０３ａからスクリーン４０２に向けて延出する複数本の爪４０３ｂを有している。これらの爪４０３ｂは、スクリーン４０２の板材４０２ａの間に入り込み、板材４０２ａによって捕獲された塵芥を捕捉する。
【００３０】
更に、各フレーム４０６の屈曲部分間には、ごみを捕集する横長板状の受け皿のような受け具４１１を設置した。この受け具４１１により、ごみが水面に落下することを阻止することができる（図３参照）。
【００３１】
このような構成において、駆動機構２０１では、通常、ウエイト２０６の重みでバケット２０５が上昇位置に位置付けられている。このようなバケット２０５には、陸地側からパイプ１０３を介して落水が給水される。バケット２０５は、受け止めた落水の量がある量に達すると、落下方向に揺動し、受け止めた落水を排水する。これにより、バケット２０５の落下方向への揺動によって上昇したウエイト２０６が勢い良く自由落下し、バケット２０５を落水の受け止め位置に復帰させる。この際、揺動軸２０３には、バケット２０５が落下方向に揺動してウエイト２０６が上昇する方向の回転と、バケット２０５が排水してウエイト２０６が自由落下する方向の回転とが生ずる。このような揺動軸２０３の両方向の回転のうち、動力伝達機構３０１は、ウエイト２０６が自由落下する方向の回転のみを出力軸３０３に伝達する。出力軸３０３は、塵芥除去機構４０１における上方に位置するスプロケット軸４０４に連結されているので、出力軸３０３の回転に従いスプロケット軸４０４も回転する。この際、前述したように、出力軸３０３は図１中で時計方向に回転するので、スプロケット軸４０４も図１中で時計方向に回転する。これにより、上下二本のスプロケット軸４０４に掛け渡されたチェーン４０９が図１中の矢印方向に転動し、レーキ４０３を移動させる。
【００３２】
取水口１０１を覆うスクリーン４０２は、取水口１０１に入り込もうとする塵芥を捕獲する。スクリーン４０２に引っ掛かった塵芥は、前述したようなレーキ４０３の移動により、レーキ４０３に捕捉される。レーキ４０３は、爪４０３ｂがスクリーン４０２に対面する側に位置付けられている際、爪４０３ｂがスクリーン４０２の板材４０２ａの間に入り込んで上昇し、塵芥を捕捉する。このようなレーキ４０３の移動位置は、塵芥を捕捉する捕捉位置である。更に上昇してスクリーン４０２を抜け出た爪４０３ｂは、フレーム４０６の屈曲形状に沿い案内され、先端部が下方を向くことになる。これにより、レーキ４０３の爪４０３ｂに捕捉された塵芥は、堤上面１０２における塵芥の集積場所に落下し、集積される。このようなレーキ４０３の移動位置は、塵芥を落下させる落下位置である。
なお塵芥を集積場所に落下させた後に上側のスプロケットを通過したレーキ４０３は、その自重によってフレーム４０６の取水口から離反する側を、スプロケット４０８からの駆動力の伝達によらずに自然にフレーム下端まで落下するようにしてやってもよい。そのために図３において、スプロケット４０８はチェーン４０９から加わる時計回り方向の力には、スプロケット軸４０４に対して空転するようにしてやる。
【００３３】
このように、本実施の形態によれば、レーキ４０３を駆動するための駆動力として、落水を受け止めたバケット２０５が落下方向に揺動することで上昇したウエイト２０６の自由落下の際の力を利用するようにしたので、例えばスクリーン４０２を通過した塵芥がレーキ４０３の駆動系にその駆動力を変動させるような影響を与えてしまうようなことがない。したがって、水力を動力としてレーキ４０３を駆動しながらも、レーキ４０３に対して常に十分な駆動力を提供することができる。
【００３４】
また、ワンウェイクラッチ３０４はラチェット機構によって構成されているので、ワンウェイクラッチ３０４を簡単な構造で実現することができる。しかも、ラチェット機構という構造上、ワンウェイクラッチ３０４は大きな力を伝達することができる。
【００３５】
さらに、スクリーン４０２は塵芥除去機構４０１に設けられているので、取水口１０１それ自体にスクリーン４０２を取り付けなければならない作業上の煩雑さを回避することができる。
【００３６】
そして、スクリーン４０２を垂直状態に維持して取水口１０１に対する塵芥の進入阻止作用をより確実にすることができる一方で、レーキ４０３の捕獲位置を垂直方向にすることで、スクリーン４０２が捕獲した塵芥をレーキ４０３によって確実に除塵することができる。しかも、レーキ４０３からの塵芥の落下位置を集積場所に向けて屈曲させることで、レーキ４０３から塵芥を確実に集積場所に落下させることができる。
【実施例２】
【００３７】
本発明の実施例２を図４乃至図６に基づいて説明する。実施例１と同一部分は同一符号で示し、重複する説明は省略する。
図４は、取水口スクリーンの除塵装置全体の斜視図である。
実施例２では、スクリーン４０２が取水口１０１の側に設けられている。つまり、取水口１０１が配置されている岸壁の側にスクリーン４０２が固定されている。
【００３８】
水の供給がないとき、あるいはバケット２０５部分が故障したときに備えて手動でレーキ４０３を動かせるようにスプロケット軸４０４の一端にハンドル４１２を取り付けることができる（図１，４参照）。このハンドル４１２はスプロケット軸４０４の一端に固着、又はプロケット軸４０４の一端に挿抜自在すなわち着脱可能に取り付けることができる。このときハンドル４１２を使用するときに、バケット２０５側に回転力が伝達しないように、ワンウェイクラッチ３０４の手前に回転力を入り切りするクラッチ機構（図示していない）を介在させるようになっている。このハンドル４１２により故障の点検、保守管理を容易に実施することができる。
【００３９】
図５は、スクリーン４０２の斜視図である。
スクリーン４０２には、塵芥除去機構４０１に連結するための連結部４０２ｃが設けられておらず、代わりに、岸壁に連結するための連結孔４０２ｅが基部４０２ｂに形成されている。連結孔４０２ｅが設けられている位置は、上下一対の基部４０２ｂの両端である。したがって、連結孔４０２ｅは四つ設けられ、スクリーン４０２は四箇所で岸壁に固定される。スクリーン４０２の固定は、一例として、岸壁から突出させた図示しないボルトを連結孔４０２ｅに嵌合させ、図示しないナットで締め付け固定することによりなされる。
【００４０】
図６は、塵芥除去機構４０１の側面図である。
図６により、基部４０２ｂが岸壁に直接固定され、これによってスクリーン４０２が岸壁に固定されていることが分かる。
【００４１】
このような構成において、本実施の形態によれば、取水口スクリーンの除塵装置にスクリーン４０２が設けられていないので、除塵装置を軽量に構成することができる。これにより、除塵装置の設置作業が容易になる。
【実施例３】
【００４２】
本発明の実施例３を図７に基づいて説明する。実施例１と同一部分は同一符号で示し、重複した説明は省略する。
図７は、取水口スクリーンの除塵装置全体の斜視図である。
実施例３では、駆動機構２０１にガイド２５１が形成され、堤上面１０２にスロープ１５１が設けられている。ガイド２５１は、堤上面１０２に固定された上面開口の筐体形状をしており、バケット２０５からの排水を受け止める排水受け２５２と、排水受け２５２が受け止めた排水を堤上面１０２における塵芥の集積場所に流すための切欠２５３とを有している。排水受け２５２は、堤上面１０２に向けてスロープ状をなしており、受け止めた排水を堤上面１０２の方向に流す。切欠２５３は、塵芥の集積場所に向けてガイド２５１を開口させ、流れてきた排水を集積場所に向けて流す。堤上面１０２に設けられたスロープ１５１は、ガイド２５１における切欠２５３の近傍位置から塵芥の集積場所を通り、塵芥の廃棄方向に向けて低くなるように形成されている。
【００４３】
このような構成において、バケット２０５が排水すると、その排水は排水受け２５２に受け止められ、切欠２５３から堤上面１０２のスロープ１５１に流れ込む。そして、スロープ１５１の途中に位置する塵芥の集積場所を通過し、塵芥の廃棄方向に向けて流れる。その過程で、集積場所に集積されている塵芥がその廃棄方向に向けて円滑に流される。
【００４４】
このように、実施例３によれば、駆動機構２０１で生ずるバケット２０５からの排水を利用して集積場所に集積された塵芥をその廃棄方向に円滑に流すことができる。
【実施例４】
【００４５】
図８は実施例４のスクリーンの斜視図である。
上述したようにスクリーン４０２の板材４０２ａは、強度的に信頼性がある。しかし、水圧が高くならないようなスクリーン４０２では、図８に示すように、この板材４０２ａに代えて複数本の棒材４０２ｅを上下一対の基部で支持した構造にすることが可能である。この棒材４０２ｅは取水口１０１を覆う大きさに形成する。例えば、棒材の上下端部は屈曲形成され、取水口１０１を覆う垂直部分が基部よりも取水口１０１から離反する方向に突出するように構成することが望ましい。
【産業上の利用可能性】
【００４６】
本発明は主として水力発電所に河川水を取り込むための取水口に取り付けるための取水口スクリーンの除塵装置を提供することを主目的とするが、水源から導入する液体から塵芥を取り除くためのスクリーンであればこれに限られず、種々の用途における取水口のスクリーンに適用することができることは勿論である。
【図面の簡単な説明】
【００４７】
【図１】実施例１を示す取水口スクリーンの除塵装置全体の斜視図である。
【図２】スクリーンの斜視図である。
【図３】塵芥除去機構の側面図である。
【図４】実施例２を示す取水口スクリーンの除塵装置全体の斜視図である。
【図５】スクリーンの斜視図である。
【図６】塵芥除去機構の側面図である。
【図７】実施例３を示す取水口スクリーンの除塵装置全体の斜視図である。
【図８】実施例４のスクリーンの斜視図である。
【符号の説明】
【００４８】
１０１    取水口
１０２    堤上面
１０３    パイプ
１５１    スロープ
２０１    駆動機構
２０２    支持脚
２０３    揺動軸
２０４    揺動体
２０５    バケット
２０６    ウエイト
２０７    駆動ギヤ
２５１    ガイド
２５２    排水受け
２５３    切欠
３０１    動力伝達機構
３０２    入力軸
３０３    出力軸
３０４    ワンウェイクラッチ
３０５    アイドルギヤ
４０１    塵芥除去機構
４０２    スクリーン
４０２ａ  板材
４０２ｂ  基部
４０２ｃ  連結部
４０２ｅ  棒材
４０３    レーキ
４０３ａ  基部
４０３ｂ  爪
４０４    スプロケット軸
４０５    連結棒
４０６    フレーム
４０７    固定脚
４０８    スプロケット
４０９    チェーン
４１０    案内ローラー
４１１    受け具
４１２    ハンドル
【図２】
2006316473.tif 000003
【図５】
2006316473.tif 000004
【図６】
2006316473.tif 000005
【図１】
2006316473.tif 000006
【図３】
2006316473.tif 000007
【図４】
2006316473.tif 000008
【図７】
2006316473.tif 000009
【図８】
2006316473.tif 000010